【事件の表示】
　上記当事者間の特許第２５８８１６０号発明「カーテン吊り具」の特許無効審判事件について、次のとおり審決する。
【結　論】
　本件審判の請求は、成り立たない。
　審判費用は、請求人の負担とする。
【理　由】
〔１〕手続の経緯
　本件特許第２５８８１６０号の請求項１〜３に係る発明（以下、「本件発明１〜３」という。）について、平成６年１１月１６日に特許出願がなされ、平成８年１２月５日に特許権の設定登録がなされ、平成１３年４月２４日に本件無効審判が請求され、平成１３年８月９日に被請求人より答弁書が提出され、平成１３年１１月１３日に特許庁審判廷において口頭審理が行われた。
　
〔２〕本件発明
　本件発明１〜３は、明細書の特許請求の範囲の請求項１〜３に記載されたとおりの次のものと認める。
 「【請求項１】カーテンに挿入して取付けるための縦方向に伸びる挿入杆と、この挿入杆に対して下部でほぼＵ字状に連続し、挿入杆の前方を挿入杆に沿って縦方向に伸び、前部にカーテンの吊り環に掛け止めるためのフックを有する主杆とを具備し、前記挿入杆をカーテンに挿入し、挿入杆と主杆との間でカーテンを挟んでカーテンに装着される弾性合成樹脂製のカーテン吊り具において、前記主杆の後部には、装着時にカーテンを貫通できるように前記挿入杆に向かって突出する貫通ピンを有し、前記挿入杆は、前記主杆を挿入杆に接近させたときに、前記貫通ピンの先端側を受け入れることができる凹所を有し、この凹所と前記貫通ピンには、貫通ピンが凹所へ進入するときに、相互に弾性的に撓んで係合する係合部が設けられ、前記貫通ピンと凹所との係合により、カーテンに対する揺動、離脱を阻止することを特徴とするカーテン吊り具。
　【請求項２】前記フックが前記主杆と別体に構成され、かつ主杆に対して下方へラチェット式にスライド可能に係合していることを特徴とする請求項１に記載のカーテン吊り具。
　【請求項３】前記フックが前記主杆と一体に構成されていることを特徴とする請求項１に記載のカーテン吊り具。」
　
〔３〕当事者の主張
１．審判請求人の主張
　審判請求人は、「特許第２５８８１６０号の請求項１〜３の各請求項に記載された特許発明についての登録を無効とする、審判費用は被請求人の負担とする」との審決を求め、その理由として、甲第１号証〜甲第５号証を提出して、概ね次のとおり主張する。
　本件発明１〜３は、甲第１号証〜甲第５号証記載の発明に基いて当業者が容易に発明をすることができたものである。
　即ち、甲第１号証又は甲第２号証記載の発明の「突き刺し杆」又は「突き刺し体」は、本件発明１の「貫通ピン」に相当し、甲第３号証〜甲第５号証には、挿入杆と主杆の連結思想が開示されており、かかる連結思想に基づき、甲第１号証又は甲第２号証記載の発明の「突き刺し杆」又は「突き刺し体」を挿入杆に設けた凹所に対してそれぞれ係合手段を設けて係合させて、挿入杆と主杆とを連結し、カーテンに対する揺動、離脱を阻止することは、当業者であれば容易に想到し得ることである。また、本件発明２の、フックが主杆と別体に構成され、フックが主杆に対して下方へラチェット式にスライド可能に係合する構成は、甲第１号証〜甲第３号証に開示されており、本件発明３の、フックが主杆と一体に構成する点は、甲第４号証及び甲第５号証に記載されているから、本件発明１〜３は、甲第１号証〜甲第５号証記載の発明に基いて当業者が容易に発明をすることができたものである。
　したがって、本件発明１〜３についての特許は、特許法２９条２項の規定に違反してなされたものであり、特許法１２３条１項２号の規定に該当する。
　
　甲第１号証：実願昭６３−９９８６４号（実開平２−２２１７９号）のマ　　　イクロフィルム
　甲第２号証：実願昭６３−１０２１８８号（実開平２−２３８７６号）の　　　マイクロフィルム
　甲第３号証：実願昭５９−１１５３０４号（実開昭６１−２９６８９号）　　　のマイクロフィルム
　甲第４号証：実願平３−８５５５号（実開平６−１９６６５号）のCD-ROM
　甲第５号証：実願平３−８５５６号（実開平６−１９６６６号）のCD-ROM
　
２．審判被請求人の主張
　審判被請求人は、概ね次のように反論する。
　甲第１号証及び甲第２号証には、本件発明１における挿入杆と主杆とを連結するための具体的構成（貫通ピンと凹所）について記載がないばかりか、挿入杆と主杆とを連結して両者の開きを阻止する技術思想を示唆する記載もない。
　また、甲第３号証〜甲第５号証には、カーテンの存在する位置でカーテンを通して連結することによって挿入杆と主杆が一体となって揺動を阻止するという技術思想を示唆する記載もなく、それを実現するための具体的構成についての記載もない。
　即ち、甲第１号証又は甲第２号証記載の発明と、甲第３号証〜甲第５号証記載の発明とを結びつける動機付けを与える記載がいずれの甲号証にも存在しないから、本件発明１〜３は、甲第１号証〜甲第５号証記載の発明に基いて当業者が容易に発明をすることができたものということはできない。
　
〔４〕当審の判断
１．各甲号証の記載事項
　審判請求人が提出した各甲号証には、以下の記載が認められる。
（１）甲第１号証
　ａ「本考案は、カーテンをランナの吊り環へ吊り止めるためのカーテン吊り具の改良に関するものである。」（２頁１２〜１４行）
　ｂ「本考案の一実施例を第１図乃至第７図に示す。第１図乃至第７図において、カーテン吊り具１は、カーテン２０に取付けられる弾性合成樹脂製の本体２と、この本体２に対してラチェット式に下方へ移動自在に係合する弾性合成樹脂製のフック体３とから成る。本体２は、略並行して縦方向に伸びる主杆４と挿入杆５とから成り、両者は下端部において連続している。……また、主杆４は、挿入杆５の方向へ略水平に突出した突き刺し杆７を上部後方に備えている。突き刺し杆７は、装着時にカーテン２０へ突き刺して上部を固定するためのものである。挿入杆５は、突き刺し杆７を受け入れるための凹所８を上部に備えている。」（５頁第９行〜６頁４行）
　ｃ「挿入杆５を挿入したら、突き刺し杆７をカーテン２０に突き刺して上部を固定する。こうすれば、カーテン吊り具１の上部が左右に揺動したりカーテン２０から抜け出たりすることがない。」（７頁２０行〜８頁４行）
　以上の記載並びに第１図、第６図及び第７図によれば、甲第１号証には、
「カーテンに挿入して取付けるための縦方向に伸びる挿入杆と、この挿入杆に対して下部でほぼＵ字状に連続し、挿入杆の前方を挿入杆に沿って縦方向に伸び、前部にカーテンの吊り環に掛け止めるためのフック体を有する主杆とを具備し、前記挿入杆をカーテンに挿入し、挿入杆と主杆との間でカーテンを挟んでカーテンに装着される弾性合成樹脂製のカーテン吊り具において、前記主杆の後部には、装着時にカーテンを貫通できるように前記挿入杆に向かって突出する突き刺し杆を有し、前記挿入杆は、前記主杆を挿入杆に接近させたときに、前記突き刺し杆の先端側を受け入れることができる凹所を有するカーテン吊り具」
の発明が記載されているものと認められる。
（２）甲第２号証
　ａ「本考案は、……上部がカーテンに係止され、揺動することのない合成樹脂製のカーテン吊り具を提供することを課題としている。」（２頁１８行〜３頁１行）
　ｂ「カーテン２０に取付けるための縦方向の挿入杆３と、下部において挿入杆３に連続し、挿入杆３と並行して縦方向に伸び、かつランナの吊り環に掛け止めるためのフック体４，１４を備えた主杆２とを具備した弾性合成樹脂製のカーテン吊り具において、主杆２には、挿入杆３側に向かって突出した、カーテン２０へ突き刺すための突き刺し体５を設け、この突き刺し体５の先端近くの上部には、抜け止め突起５ａを形成し、挿入杆３には、突き刺し体５を受け入れるための凹所９と、この凹所９の上下両側においてカーテン２０に当接して、凹所９へのカーテン２０の陥没を抑制するための規制部７，８とを設けた。」（３頁４行〜１６行）
　ｃ「本考案のカーテン吊り具は、カーテン２０への装着時に、挿入杆３と主杆２との間を弾性的に拡開しつつ、挿入杆３をカーテン２０のひだ部２１に挿入する。挿入杆３を所定位置まで差し込んだところで、突き刺し体５をカーテン２０に突き刺す。突き刺し体５は、カーテン２０を隔てて対向部に位置する挿入杆３の凹所９内に進入する」（４頁３〜９行）
　ｄ「従って、突き刺し体５はスムーズにカーテン２０に突き刺さる。この結果、吊り具は、その上部においてカーテン２０に係止されることになり、従って、カーテン２０を移動させるとき等に容易に揺動することがない。比較的柔軟なプラスチック素材を用いて吊り具を形成する場合には、挿入杆３が撓んで揺動しやすいが、本考案においては、上部の支持により確実に振れ止めされる。また、一旦突き刺し体５がカーテン２０に突き刺さると、抜け止め突起５ａがカーテン２０あるいは縫い糸２２に係合するから容易に抜け出ることがない。」（４頁１２行〜５頁３行）
　以上の記載及び第１図〜第４図によれば、甲第２号証には、
「カーテンに挿入して取付けるための縦方向に伸びる挿入杆と、この挿入杆に対して下部でほぼＵ字状に連続し、挿入杆の前方を挿入杆に沿って縦方向に伸び、前部にカーテンの吊り環に掛け止めるためのフック体を有する主杆とを具備し、前記挿入杆をカーテンに挿入し、挿入杆と主杆との間でカーテンを挟んでカーテンに装着される弾性合成樹脂製のカーテン吊り具において、前記主杆の後部には、装着時にカーテンを貫通できるように前記挿入杆に向かって突出する突き刺し体を有し、前記挿入杆は、前記主杆を挿入杆に接近させたときに、前記突き刺し体の先端側を受け入れることができる凹所を有するカーテン吊り具」
の発明が記載されているものと認められる。
（３）甲第３号証
　ａ「下端部において互いに連接された二又杆の一方をカーテンへの止着部とし、カーテンランナーに係脱可能な係止曲杆を他方の杆体の上端部から連接するかあるいは他方の杆体に沿って摺動係止可能に組み合わせたカーテンフックにおいて、上記二又杆の上端部に、両者間を架橋状態で連結可能な架橋体とその係止部を各各設けたことを特徴とするカーテンフック」（実用新案登録請求の範囲）
　ｂ「（考案が解決しようとする問題点）……使用の際、止着部が変形するものが多く、カーテンの吊下状態が不安定となる……すなわち、前例でいえば、止着部９ｂにおいてカーテン本体の自重並びにその開閉時の力等にもとづいて大きな荷重を受けるため、荷重方向すなわち開方向に変形し易く、カーテンの吊状態が不安定化し、使用に際して好ましからざる支障を来す。」（２頁１１行〜３頁２行）
　ｃ「この考案は、……二又杆の上端部に、両者間を架橋状態で連結可能な架橋体とその係止部を各各設けて、カーテン自重等の荷重をフック全体で受けることにより、二又杆の下端部の負担を軽減したものであり、かつまた強制的に止着部の拡開を阻止してその変形を防止したものである。」（３頁１６行〜４頁４行）
　ｄ「架橋ヘッド６ｂには、止着部上端部に設けられた突状の係止部７に係合する係止孔８が穿設されている。従って可撓ネック６ａにおいて折曲げることにより、架橋ヘッド６ｂを止着部３上端の突状の係止部７に係合させ、両者間を架橋状態で連結し得るようになっている。……また架橋体６もこの実施例に限定されるものではなく、例えば架橋ヘッド６ａに係合突部を設け、他方に係止孔を設けても良く」（４頁１９行〜６頁１行）
（４）甲第４号証
　ａ「【請求項３】弾性合成樹脂で一体成型され、下端部において互いに連繋し、上下に伸びる並行２本の杆部と、夫々異なった高さ位置において前記杆部から側方へ延出したフックと、前記２本の杆部を上端部において結合、分離可能な係合部とを具備し、前記２本の杆部の上端部を分離した状態で、選択的に何れかの杆部をカーテンのひだ部へ下方から上方に向けて挿入した後、ひだ部の上部において前記係合部を結合してカーテンに取付けるようにしたことを特徴とするカーテン吊り具。
【請求項４】前記係合部は、前記フックの延出方向と直交する方向に圧入、離脱可能な突部と凹部とを具備していることを特徴とする請求項３に記載のカーテン吊り具。」（実用新案登録請求の範囲）
　ｂ「【考案が解決しようとする課題】上記従来のカーテン吊り具においては、全体が弾性合成樹脂から成るため、カーテンを引くときに荷重がかかると、２つの杆部２１，２２の連繋部２５が変形して杆部２１，２２間が開き、カーテンから離脱しやすいという問題点がある。　従って、本考案は、下端部において互いに連繋した並行２本の杆部の上下異なる位置に、夫々フックを設けてなる弾性合成樹脂製のカーテン吊り具において、杆部間を開き止めしてカーテンからの離脱を防止することを課題としている。」（７頁１７〜２３行）
　ｃ「本考案のカーテン吊り具は、カーテンＣの吊り位置を考慮して、何れのフック３，４，１３，１４をランナに吊るかを決定したら、その反対側の杆部１，２，１１，１２をフック３，４，１３，１４もろともカーテンＣのひだ部へ挿入して取付ける。何れかの杆部１，２，１１，１２をカーテンＣのひだ部Ｃ１へ挿入したら、ひだ部Ｃ１の下端又は上端から係合部６，７，１６，１７を突出させ、これを互いに係合させて、杆部１，２・１１，１２を結合する。こうすれば、カーテンＣが強く引かれても、吊り具１０，２０が変形して杆部１，２・１１，１２間が開くことがなく、従って、吊り具１０，２０がカーテンＣから離脱するおそれがない。」（８頁１０〜１８行）
（５）甲第５号証
　ａ「【請求項２】弾性合成樹脂で一体成型され、下端部において互いに連繋し、上下に伸びる並行２本の杆部と、夫々異なった高さ位置において前記杆部から側方へ延出したフックと、前記各杆部の上端部から相互対向方向へ延出した後下方へ屈曲した鉤部とを有し、前記２本の杆部の上端部を開放した状態で、選択的に何れかの杆部をカーテンのひだ部へ下方から上方に向けて挿入した後、ひだ部の上部において前記鉤部を重ねてひだ部の上縁に掛けるようにしたことを特徴とするカーテン吊り具。」（実用新案登録請求の範囲）
　ｂ「本考案のカーテン吊り具は、カーテンＣの吊り位置を考慮して、何れのフック３，４，１３，１４をランナに吊るかを決定したら、その反対側の杆部１，２，１１，１２をフック３，４，１３，１４もろともカーテンＣのひだ部へ挿入して取付ける。何れかの杆部１，２，１１，１２をカーテンＣのひだ部Ｃ１へ挿入したら、ひだ部Ｃ１の下縁又は上縁へ鉤部６，７，１６，１７を掛け杆部１，２・１１，１２をカーテンＣに結合する。こうすれば、カーテンＣが強く引かれても、吊り具１０，２０が変形して杆部１，２・１１，１２間が開くことがなく、従って、吊り具１０，２０がカーテンＣから離脱するおそれがない。」（段落【０００４】）
　
２．対比・判断
（１）本件発明１について
（１−１）本件発明１と甲第２号証記載の発明とを対比すると、甲第２号証記載の発明の「突き刺し体」及び「フック体」は、それぞれ本件発明１の「貫通ピン」及び「フック」に相当するから、両者は、
「カーテンに挿入して取付けるための縦方向に伸びる挿入杆と、この挿入杆に対して下部でほぼＵ字状に連続し、挿入杆の前方を挿入杆に沿って縦方向に伸び、前部にカーテンの吊り環に掛け止めるためのフックを有する主杆とを具備し、前記挿入杆をカーテンに挿入し、挿入杆と主杆との間でカーテンを挟んでカーテンに装着される弾性合成樹脂製のカーテン吊り具において、前記主杆の後部には、装着時にカーテンを貫通できるように前記挿入杆に向かって突出する貫通ピンを有し、前記挿入杆は、前記主杆を挿入杆に接近させたときに、前記貫通ピンの先端側を受け入れることができる凹所を有するカーテン吊り具」
である点で一致し、以下の点で相違する。
　相違点
　本件発明１では、凹所と前記貫通ピンには、貫通ピンが凹所へ進入するときに、相互に弾性的に撓んで係合する係合部が設けられ、前記貫通ピンと凹所との係合により、カーテンに対する揺動、離脱を阻止するのに対し、甲第２号証記載の発明では、凹所と前記貫通ピンには係合部が設けられていない。
（１−２）そこで上記相違点について検討する。
　本件特許の明細書には、「【従来の技術】従来、合成樹脂製のカーテン吊り具として、例えば実開平２−２３８７６号の公報に記載されたものが知られている。このカーテン吊り具は、カーテンに取付けるための縦方向の挿入杆と、下部において挿入杆にＵ字状に連続し、挿入杆と並行して縦方向に伸びる主杆とを具備し、主杆には、ランナの吊り環に掛け止めるためのフック体を備えると共に、カーテンに突き刺すために挿入杆側に向かって突出した突き刺し体を備え、また挿入杆には、突き刺し体を受け入れるための凹所を備えている弾性合成樹脂製のものである。そして、この構成により、カーテンへの装着時に、カーテンに突き刺し体を貫通させて、上部をカーテンに係止し、不用意に揺動することのない合成樹脂製のカーテン吊り具を提供しようとするものである。」（段落【０００２】）、「【発明が解決しようとする課題】上記従来のカーテン吊り具においては、カーテンに対する揺動防止について改善が見られるものの、なおそれが左右に振れる強い外力を受けると、主杆と挿入杆とが左右にねじれ、突き刺し体がカーテンから抜けて、結局揺動してしまう問題点が残っている。従って、本発明は、上記従来のフックの問題点を解決し、上部がカーテンに確実に係止され、揺動することのない合成樹脂製のカーテン吊り具を提供することを課題としている。」（段落【０００３】）との記載がある。これらの記載によれば、本件発明１が相違点における構成を採用したのは、甲第２号証記載の発明が有する問題点、即ち、突き刺し体はカーテンに貫通しているが、左右に振れる強い外力を受けると、主杆と挿入杆とが左右にねじれ、突き刺し体がカーテンから抜けて、結局揺動してしまうという問題点を解決するためであると認められる。
　そして、本件発明１は相違点における構成を採用したことにより、「挿入杆３と主杆２とが、貫通ピン５を介して結合され、相互のねじれが阻止されると共に、吊り具１は、その上部においてカーテン２１に確実に係止されることになる。従って、カーテン２１を移動させるとき等に容易に揺動することがない。比較的柔軟なプラスチック素材を用いて吊り具を形成する場合には、挿入杆３が撓んで揺動しやすいが、本発明においては、上部の支持により確実に振れ止めされる。」（段落【０００５】）、「貫通ピン５と凹所６との係合により、カーテン２１に対する揺動、離脱を確実に阻止することができる」（段落【００１６】）との作用、効果を奏するものと認められる。
　甲第１号証には、前示のように甲第２号証記載の発明と同様の、カーテン吊り具の発明が記載されており、その「突き刺し杆」は、本件発明１の「貫通ピン」に相当するから、結局、甲第１号証記載の発明も、本件請求項１に係る発明とは、甲第２号証記載の発明と同様に上記相違点で相違するものである。
　甲第３号証には、下端部において互いに連接された二又杆の一方をカーテンへの止着部（本件発明１の「挿入杆」に相当する。）とし、他方の杆体（同「主杆」相当する。）にカーテンランナーに係脱可能な係止曲杆（同「フック」に相当する。）を有するカーテンフック（同「カーテン吊り具」に相当する。）において、二又杆の上端部に、両者間を架橋状態で連結可能な架橋体とその係止部を各々設け、カーテン自重等の荷重をフック全体で受けることにより、二又杆の下端部の負担を軽減し、かつ強制的に止着部の拡開を阻止してその変形を防止することが記載されている。ただし、架橋体とその係止部が、相互に弾性的に撓んで係合するのかについては記載がなく、不明である。
　また、甲第４号証には、弾性合成樹脂で一体成型され、下端部において互いに連繋し上下に伸びる並行する２本の杆部と、該杆部から側方へ延出したフックと、該２本の杆部を上端部において、圧入、離脱可能な突部と凹部とを有する係合部（本件発明１の「相互に弾性的に撓んで係合する係合部」に相当する。）とを具備し、選択的に何れかの杆部（同「挿入杆」に相当する。）をカーテンのひだ部へ挿入した後、ひだ部の上部において係合部を結合してカーテンに取付けるようにしたカーテン吊り具の発明が記載され、係合部を互いに係合させて、２本の杆部を結合することにより、カーテンが強く引かれても、変形して杆部間が開くことがなく、カーテン吊り具がカーテンから離脱するおそれがないことが記載されている。
　さらに、甲第５号証には、弾性合成樹脂で一体成型され、下端部において互いに連繋し、上下に伸びる並行する２本の杆部と、杆部から側方へ延出したフックと、各杆部の上端部から相互対向方向へ延出した後下方へ屈曲した鉤部（同「係合部」に相当する。）とを有し、選択的に何れかの杆部（同「挿入杆」に相当する。）をカーテンのひだ部へ挿入した後、ひだ部の上部において鉤部を重ねてひだ部の上縁に掛けるようにし、カーテンが強く引かれても、変形して杆部間が開くことがなく、カーテンから離脱するおそれがないるカーテン吊り具、が記載されている。ただし、鉤部が相互に弾性的に撓んで係合するのかについては記載がなく、不明である。
　以上のように、甲第３号証〜甲第５号証には、カーテンのひだ部へ挿入する挿入杆と、カーテンの吊り環に掛け止めるためのフックを有する主杆とを具備し、挿入杆と主杆との間でカーテンを挟んでカーテンに装着される合成樹脂製のカーテン吊り具において、挿入杆と主杆とに相互に係合する係合部を設け、甲第４号証ではさらに、相互に弾性的に撓んで係合する係合部を設け、挿入杆と主杆との係合により、変形して挿入杆と主杆との間が開くのを防止し、カーテンから離脱するのを防止することが記載されているが、いずれも、係合部は挿入杆と主杆の上端部に設けられており、挿入杆をひだ部へ挿入してひだ部の上端からこれらの係合部を突出させ、互いに係合させるものであり、本件発明１のように、凹所と貫通ピンとに、貫通ピンが凹所へ進入するときに相互に弾性的に撓んで係合する係合部が設けられ、貫通ピンと凹所との係合によりカーテンに対する揺動、離脱を阻止する、というものではない。したがって、甲第３号証〜甲第５号証記載の、上記「挿入杆と主杆とに相互に係合する係合部を設け」、さらに、甲第４号証記載のように「相互に弾性的に撓んで係合する係合部を設け」、「挿入杆と主杆との係合により、変形して挿入杆と主杆との間が開くのを防止し、カーテンから離脱するのを防止する」との技術思想を甲第２号証記載の発明に適用したとしても、上記相違点における本件発明１の構成には至らない。
（１−３）審判請求人は、審判請求書及び口頭審理において、甲第１号証記載のもの及び甲第２号証記載のものには、カーテン吊り具の上部が左右に揺動したり抜け出たりすることを防ぐ課題があり、また、甲第３号証〜甲第５号証にも、同じく揺動防止、開閉防止の課題があり、甲第３号証〜甲第５号証に記載されている、挿入杆と主杆が一体となってカーテン吊り具の揺動を阻止する係合固定の考え方を、甲第１号証又は甲第２号証に記載されている突き刺し固定で用いられる突き刺し杆に応用することは、当業者であれば容易に考えつくことである、と主張している。
　甲第２号証記載のカーテン吊り具の発明は、貫通ピン（突き刺し体）をカーテンに突き刺して上部を固定することにより、カーテン吊り具の上部が左右に揺動したりカーテンから抜け出たりするのを防止するものであり、凹所は、上下に薄板部が存在し左右が開放され、突き刺された貫通ピン（突き刺し体）を受け入れる空間を形成しているにすぎず、貫通ピン（突き刺し体）と挿入杆は相互に拘束し合う状態になっていないと解される。また、貫通ピン（突き刺し体）先端の抜け止め突起５ａは、貫通ピン（突き刺し体）がカーテンに突き刺さったときに、カーテンあるいは縫い糸に係合するものであって、凹所に係合するものではない。そして、甲第３号証〜甲第５号証記載のカーテン吊り具の発明は、上記のように、係合部が挿入杆と主杆の上端部に設けられており、挿入杆をひだ部へ挿入してひだ部の上端からこれらの係合部を突出させ、互いに係合させ挿入杆と主杆との係合により、変形して挿入杆と主杆との間が開くのを防止し、カーテンから離脱するのを防止するものであって、係合部が凹所と貫通ピンとに設けられたものではないから、甲第２号証記載の発明が、上部が左右に揺動したり抜け出たりすることを防ぐ課題を有するとの認識のもとに、甲第３号証〜甲第５号証記載の発明に接した当業者が、甲第３号証〜甲第５号証記載の、挿入杆と主杆との係合により、変形して挿入杆と主杆との間が開くのを防止するとの技術思想を、甲第１号証記載の発明に適用し、挿入杆と主杆の上端部に係合部を設けることは容易になし得るとしても、甲第２号証記載のカーテン吊り具の発明において、凹所は、上記のように上下に薄板部が存在し左右が開放され、突き刺された貫通ピンを受け入れる空間を形成しているにすぎず、貫通ピンと挿入杆は相互に拘束し合う状態になっていないことからして、挿入杆の凹部と貫通ピンに係合部を設けることは、その契機となるものを見いだすことができず、容易になし得ることとはいえない。
（１−４）したがって、本件発明１は、甲第１号証〜甲第５号証記載の発明に基いて当業者が容易に発明をすることができたものとすることはできない。
　
（２）本件発明２及び３について
　本件発明２は、本件発明１において、「前記フックが前記主杆と別体に構成され、かつ主杆に対して下方へラチェット式にスライド可能に係合している」との構成を付加したものであり、本件発明３は、本件発明１において、「前記フックが前記主杆と一体に構成されている」との構成を付加したものであるところ、本件発明１が、上記「１．本件発明１について」で述べたように、甲第１号証〜甲第５号証記載の発明に基いていて当業者が容易に発明をすることができたものとすることができない以上、本件発明２及び３も、甲第１号証〜甲第５号証記載の発明に基いていて当業者が容易に発明をすることができたものとすることはできない。
　
〔５〕むすび
　以上のとおりであるから、請求人の主張する無効理由及び提出した証拠方法によっては、本件発明１〜３についての特許を無効とすることはできない。
　審判費用は、特許法１６９条２項の規定により準用する民事訴訟法６１条の規定により、請求人が負担すべきものとする。
　よって、結論のとおり審決する。